(57)【要約】【課題】  透明な格子状に形成した透光材を設けることにより、暗中における発光時において、透光材の端面からの発光が人の目により明るく見えるため、効率のよい発光体を提供すると共に、蓄光物質及び透光材を凹凸状に形成することにより、正面からも側面からもより発光して見える発光体を提供する。【解決手段】  基板に蓄光物質を塗布してなる蓄光板に、透明な格子状に形成した上面及び下面を開放してなる透光材を設けてなることを特徴とする発光体。【選択図】  図１
0003116807.tif 000002
【実用新案登録請求の範囲】
【請求項１】
基板に蓄光物質を塗布してなる蓄光板に、透明な格子状に形成した少なくとも下面を開放してなる透光材を設けてなることを特徴とする発光体。
【請求項２】
基板に蓄光物質を凹凸状に塗布してなる蓄光板に、凹凸状に形成した透明な透光材を設けてなることを特徴とする発光体。
【請求項３】
凹凸状が、ダイヤモンドカットであることを特徴とする請求項２記載の発光体。
【請求項４】
透光材の上面に、透光板を設けてなることを特徴とする請求項１、２又は３記載の発光体。
【請求項５】
基板が、光を反射する材質であることを特徴とする請求項１、２、３又は４記載の発光体。
【考案の詳細な説明】
【技術分野】
【０００１】  本考案は、蓄光物質を効率よく発光させるための発光体に関するものである。
【背景技術】
【０００２】  従来の技術としては、第１波長領域の励起光成分を吸収して第２波長領域の燐光成分を放射する蓄光性物質と該蓄光性物質から放射された燐光成分を受けてそれより長波長の蛍光成分を発する蛍光性物質とを含んで構成される発光部剤であり、蓄光性物質と蛍光性物質はアクリル樹脂、エポキシ樹脂、ポリスチレン、ポリエチレン、ポリエチレンテレフタレート、ポリメタクリレート、透明ＡＢＳ樹脂、又はポリカーボネートなどの合成樹脂、若しくはガラスなどの透明セラミックからなる透明材料で一体化されるものがある。（特許文献１参照）【０００３】  また、別の従来技術として、必要とする表示内容を示す蓄光材の外表面をアクリル樹脂等の透明材からなる外被体により被覆し、蓄光材の裏面側に蓄光材を覆う基材を接合固定するものがある。（特許文献２参照）
【特許文献１】  特開２００５−１４６１２５号公報
【特許文献２】  登録実用新案第３０２９９２８号公報
【考案の開示】
【考案が解決しようとする課題】
【０００４】  上記前者の発光部材は、蓄光性物質と蛍光性物質を透明材料で一体化してなるもので、単に全体的に発光するもので、光にめり張りがなく、インパクトのない光となっている。【０００５】  上記後者は、蓄光材の外表面を透明材で被覆してなるもので、これもまた単に全体的に発光するものである。【０００６】  本考案は、従来の問題点に鑑みなされたもので、透明な格子状に形成した透光材を設けることにより、暗中における発光時において、透光材の端面からの発光が人の目により明るく見えるため、効率のよい発光体を提供すると共に、蓄光物質及び透光材を凹凸状（ダイヤモンドカット）に形成することにより、正面からも側面からもより発光して見える発光体を提供することを目的とする。
【課題を解決するための手段】
【０００７】  本考案は、上記目的を達成する手段として、基板に蓄光物質を塗布してなる蓄光板に、透明な格子状に形成した上面及び下面を開放してなる透光材を設けてなる。
また、基板に蓄光物質を凹凸状（ダイヤモンドカット）に塗布してなる蓄光板に、凹凸状（ダイヤモンドカット）に形成した透明な透光材を設けてなる。
さらに、透光材の上面に、透光板を設けてなる。
そして、基板が、光を反射する材質であることを特徴とする。
【考案の効果】
【０００８】１）、蓄光板に透明な格子状に形成した透光材を設けることにより、効率よく蓄光できる。
２）、発光時においては、透光材の端面から発光（端面発光）する光が人の目により明るく見えるため、非常に有効である。
３）、透光材により、発光表面積が広くなり、正面のみならず側面からもよく見えるものである。
４）、基板に、白色塗料を塗布したアルミ（箔）等の反射素材を使用することにより、より一層明るく見える。
５）、透光材の上面に、透光板を設けることにより、道路等のセンターラインの表示具にも使用できるものである。
６）、発光体を一つのブロックとして形成することで、必要に応じて壁面等を構築できる。
７）、蓄光物質及び透光材を凹凸状（ダイヤモンドカット）に形成することにより，正面からでも側面からでも乱反射により、より明るく見える。
【考案の実施するための最良の形態】
【０００９】  １は、発光体である。
２は、アルミ箔やアルミ板等に白色を塗布してなる光を反射する基板２ａの上面に、蓄光物質２ｂ（一般に販売されているものでよい）を塗布してなる蓄光板である。
３は、上記蓄光板２の上面に設けてなる透明なアクリル樹脂やポリカーボネート等による格子状に形成した透光材で、上面及び下面を開放３ａ−−−してなるものである。
【００１０】  上記発光体１の使用例について、下記に述べる。
例えば、壁Ｋに取り付けた場合、水平方向の光Ｒは直接蓄光物質２ｂに当たり、効率よく蓄光される。
上方からの光Ｒ１は透明材３を通過して蓄光物質２ｂに蓄光される。
このように、蓄光された蓄光物質２ｂは、暗中時において発光するが、透光材３に接していない蓄光物質２ｂは直接蓄光した光を発光ＨＫする。
また、透光材３の下面の蓄光物質２ｂ１は透光材３の端面（上面）Ｔより発光ＨＫ１が光が端面発光により人の目に明るく見え、かつ表面積が広いため全体を見た場合、透光材３がある場合とない場合では、ある場合の方がより明るく見える。
【００１１】  つぎに、他の実施例を説明する。
発光体２１は、上記と同様な透光材２３の上面に、硬質な透明ポリカーボネート等による透光板４を設けてなるものである。
基本的に防水加工してなるものである。
【００１２】  この発光体２１は、例えば道路Ｄのセンターライン上に埋設して使用することができるもので、昼間の光を蓄光物質２２ｂにて蓄光し、夜間に発光し、センターラインの位置を知らせるものである。
特に、発光時において、上記発光体１と同様に透光材３３の上面（端面）から同様に端面発光Ｔ１により、より明るく、運転者に見え易いものである。
【００１３】  つづいて、発光体３１は、上記同様な蓄光板３２、透光材３３、透光板３４とで構成されると共に、外周に箱状の補強枠５を設け、一つのブロックとして形成してなる。
つまり、必要に応じて発光体３１を組み合せ、壁面（屋外あるいは屋内）等を構築することができ、発光壁面等のディスプレイとして使用できるものである。
【００１４】  発光体４１は、下面のみ開放４３ａしてなる格子状に形成した透光材４３を設けると共に、上記と同様な蓄光板４２、透光板４４及び補強枠４５を設けてなるもので、強度的にアップすると共に、端面及び上面より発光し、より明るく見えるものである。
【００１５】  発光体５１は、上記と同様な基板５２ａの上面に蓄光物質５２ｂを凹凸状（一部あるいは全体をダイヤモンドカットＤＫとする）に形成してなる蓄光板５２に、同様に凹凸状（一部あるいは全体をダイヤモンドカットＤＫとする）に形成した透明なポリカーボネート等による透光材５３を設けてなるものである。
この発光体５１は、正面からでも側面からでも乱反射により、より明るく見えるものである。
【００１６】  発光体６１は、上記発光体５１を補強枠５５内に入れ、上面に透光板５４を設けてなるもので、道路のセンターラインや強度を必要とする場所に有効で薄型に形成できる。
【００１７】  なお、上記各実施例における蓄光物質は、特に限定することなく、必要に応じて設定する。
また、基板も特に限定することなく、反射作用のある材質を使用するのが望ましい。
さらに、透光材及び透光板の材質や形状や大きさ等は、使用用途等によって決めればよい。
【図面の簡単な説明】
【００１８】
【図１】  本考案の第一実施形態を示す発光体の縦断正面図。
【図２】  本考案の第一実施形態を示す発光体の蓄光板の縦断正面図。
【図３】  本考案の第一実施形態を示す発光体の透光材の縦断正面図。
【図４】  本考案の第一実施形態を示す発光体の透光材の平面図。
【図５】  本考案の第一実施形態を示す発光体の使用状態図。
【図６】  本考案の第二実施形態を示す発光体の使用状態図。
【図７】  本考案の第三実施形態を示す発光体の縦断正面図。
【図８】  本考案の第四実施形態を示す発光体の透光板の平面図。
【図９】  本考案の第四実施形態を示す発光体の縦断正面図。
【図１０】  本考案の第五実施形態を示す発光体の透光板の平面図。
【図１１】  本考案の第五実施形態を示す発光体の縦断正面図。
【図１２】  本考案の第六実施形態を示す発光体の縦断正面図。
【符号の説明】
【００１６】    １−−−発光体
２−−−蓄光板
２ａ−−基板
２ｂ−−蓄光物質
３−−−透光材
４−−−透光板
５−−−補強枠
Ｋ−−−壁
Ｒ−−−光
ＨＫ−−発光
Ｔ−−−端面
Ｄ−−−道路
ＤＫ−−ダイヤモンドカット
【図１】
0003116807.tif 000003
【図２】
0003116807.tif 000004
【図３】
0003116807.tif 000005
【図４】
0003116807.tif 000006
【図５】
0003116807.tif 000007
【図６】
0003116807.tif 000008
【図７】
0003116807.tif 000009
【図８】
0003116807.tif 000010
【図９】
0003116807.tif 000011
【図１０】
0003116807.tif 000012
【図１１】
0003116807.tif 000013
【図１２】
0003116807.tif 000014